【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
装置によるワイヤレス通信のための方法であって、
１つまたは複数のワイヤレスノードによるマルチユーザ（ＭＵ）通信に利用可能な１つまたは複数のチャネルを示すチャネルボンディング情報を有するフレームを生成することと、ここにおいて、
前記チャネルボンディング情報は、前記フレームのサービスフィールドの１または複数ビットを介して提供され、
前記サービスフィールドの前記１または複数ビットのうちの少なくとも１つが、前記チャネルボンディング情報においてあらゆる誤りを検出するためにパリティビットとして使用されるように構成される、
送信のために前記フレームを出力することと、
を備える、方法。
【請求項２】
前記チャネルボンディング情報は、前記１つまたは複数のチャネルがＭＵ通信に利用可能であるか否かを示す少なくとも１ビットを備える、請求項１に記載の方法。
【請求項３】
前記チャネルボンディング情報はインデックスを備え、前記インデックスの異なる値は、前記１つまたは複数のワイヤレスノードによるＭＵ通信に利用可能な１つまたは複数のチャネルの異なる組合せにマッピングする、請求項１に記載の方法。
【請求項４】
前記インデックスにおけるビット数は、基本サービスセット（ＢＳＳ）帯域幅に少なくとも部分的に基づく、請求項３に記載の方法。
【請求項５】
前記チャネルボンディング情報はビットマップを備え、前記ビットマップにおける各ビットは、対応するチャネルがＭＵ通信に利用可能であるかどうかを示す、請求項１に記載の方法。
【請求項６】
装置によるワイヤレス通信のための方法であって、
チャネルボンディング情報を備えるフレームを取得することと、ここにおいて、
前記チャネルボンディング情報は、前記フレームのサービスフィールドの１または複数ビットを介して提供され、
前記サービスフィールドの前記１または複数ビットのうちの少なくとも１つがパリティビットである、
前記フレームに含まれる前記チャネルボンディング情報に基づいて、マルチユーザ（ＭＵ）通信に利用可能な１つまたは複数のチャネルを決定することと、
前記チャネルボンディング情報における前記少なくとも１つのパリティビットに基づいて、前記チャネルボンディング情報においてあらゆる誤りを検出することと、
ＭＵ通信に利用可能であると決定された前記チャネルのうちの前記１つまたは複数上での送信のためにデータを出力することと、
を備える、方法。
【請求項７】
前記決定は、前記チャネルボンディング情報における１ビットに少なくとも基づく、請求項６に記載の方法。
【請求項８】
前記チャネルボンディング情報はインデックスを備え、
前記インデックスの異なる値が、前記装置によるＭＵ通信に利用可能な１つまたは複数のチャネルの異なる組合せにマッピングし、
前記インデックスにおけるビット数は、基本サービスセット（ＢＳＳ）帯域幅に少なくとも部分的に基づき、
ＭＵ通信に利用可能な前記１つまたは複数のチャネルの前記決定は、前記インデックスに少なくとも部分的に基づく、
請求項６に記載の方法。
【請求項９】
前記チャネルボンディング情報はビットマップを備え、
前記ビットマップにおける各ビットに基づいて、対応するチャネルがＭＵ通信に利用可能であるかどうかを決定すること、
をさらに備える、請求項６に記載の方法。
【請求項１０】
ビーコンまたはターゲットウェイクアップ時間（ＴＷＴ）要素のうちの少なくとも１つを取得することと、
前記ビーコン、前記ＴＷＴ要素、または前記フレームのうちの少なくとも１つにおけるインジケーションに基づいて、前記装置への前記１つまたは複数のチャネルの割り当てを決定することと、ここにおいて、前記インジケーションは、ある量の時間の間、有効である、
をさらに備える、請求項６に記載の方法。
【請求項１１】
ワイヤレス通信のための装置であって、
１つまたは複数のワイヤレスノードによるマルチユーザ（ＭＵ）通信に利用可能な１つまたは複数のチャネルを示すチャネルボンディング情報を有するフレームを生成するための手段と、ここにおいて、前記チャネルボンディング情報は、前記フレームのサービスフィールドの１または複数ビットを介して提供される、
前記チャネルボンディング情報においてあらゆる誤りを検出するためにパリティビットとして前記サービスフィールドの前記１または複数ビットのうちの少なくとも１つを使用するための手段と、
送信のために前記フレームを出力するための手段と、
を備える、装置。
【請求項１２】
前記チャネルボンディング情報は、前記１つまたは複数のチャネルがＭＵ通信に利用可能であるか否かを示す少なくとも１ビットを備える、請求項１１に記載の装置。
【請求項１３】
ワイヤレス通信のための装置であって、
チャネルボンディング情報を備えるフレームを取得するための手段と、ここにおいて、
前記チャネルボンディング情報は、前記フレームのサービスフィールドの１または複数ビットを介して提供され、
前記サービスフィールドの前記１または複数ビットのうちの少なくとも１つがパリティビットである、
前記フレームに含まれる前記チャネルボンディング情報に基づいて、マルチユーザ（ＭＵ）通信に利用可能な１つまたは複数のチャネルを決定するための手段と、
前記チャネルボンディング情報における前記少なくとも１つのパリティビットに基づいて、前記チャネルボンディング情報においてあらゆる誤りを検出するために手段と、
ＭＵ通信に利用可能であると決定された前記チャネルのうちの前記１つまたは複数上での送信のためにデータを出力するための手段と、
を備える、装置。
【請求項１４】
前記決定するための手段は、前記チャネルボンディング情報における１ビットに少なくとも基づいて、ＭＵ通信に利用可能な前記１つまたは複数のチャネルを決定するように構成される、請求項１３に記載の装置。
【請求項１５】
請求項１〜５または６〜１０のうちの何れか一項に従った方法を実行するための命令を備えるコンピュータプログラム。
【手続補正２】
【補正対象書類名】明細書
【補正対象項目名】００９１
【補正方法】変更
【補正の内容】
【００９１】
[00106]請求項が、上で例示された精密な構成およびコンポーネントに限定されないことは理解されることとする。請求項の範囲から逸脱することなく、上で説明された方法および装置の、配列、動作、および詳細において、様々な変更、変化、およびバリエーションが行われうる。
以下に本願の出願当初の特許請求の範囲に記載された発明を付記する。
［Ｃ１］
ワイヤレス通信のための装置であって、
１つまたは複数のワイヤレスノードによるマルチユーザ（ＭＵ）通信に利用可能な１つまたは複数のチャネルを示すチャネルボンディング情報を有するフレームを生成するように構成された処理システムと、
送信のために前記フレームを出力するように構成された第１のインターフェースと、
を備える、装置。
［Ｃ２］
前記チャネルボンディング情報は、前記１つまたは複数のチャネルがＭＵ通信に利用可能であるか否かを示す少なくとも１ビットを備える、Ｃ１に記載の装置。
［Ｃ３］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ２に記載の装置。
［Ｃ４］
前記フレームは、第１のタイプの少なくとも１つのワイヤレスノード、および第２のタイプの少なくとも１つのワイヤレスノードによって復号可能であり、
前記チャネルボンディング情報は、前記少なくとも１つの第２のタイプのワイヤレスノードによって復号可能であるが、前記少なくとも１つの第１のタイプのワイヤレスノードによって復号可能でない、Ｃ１に記載の装置。
［Ｃ５］
前記フレームは、送信要求（ＲＴＳ）または送信可（ＣＴＳ）フレームを備える、Ｃ１に記載の装置。
［Ｃ６］
前記チャネルボンディング情報は、前記フレームのサービスフィールドの１または複数ビットを介して提供される、Ｃ１に記載の装置。
［Ｃ７］
前記サービスフィールドの前記１または複数ビットは、スクランブラ初期化のために前記装置によって使用される、Ｃ６に記載の装置。
［Ｃ８］
前記サービスフィールドの前記１または複数ビットのうちの少なくとも１つは、前記チャネルボンディング情報においてあらゆる誤りを検出するために前記装置によってパリティビットとして使用される、Ｃ６に記載の装置。
［Ｃ９］
前記チャネルボンディング情報はインデックスを備え、前記インデックスの異なる値は、前記１つまたは複数のワイヤレスノードによるＭＵ通信に利用可能な１つまたは複数のチャネルの異なる組合せにマッピングする、Ｃ１に記載の装置。
［Ｃ１０］
前記インデックスにおけるビット数は、基本サービスセット（ＢＳＳ）帯域幅に少なくとも部分的に基づく、Ｃ９に記載の装置。
［Ｃ１１］
前記チャネルボンディング情報はビットマップを備え、前記ビットマップにおける各ビットは、対応するチャネルがＭＵ通信に利用可能であるかどうかを示す、Ｃ１に記載の装置。
［Ｃ１２］
別の装置から要求を取得するための第２のインターフェースをさらに備え、前記処理システムは、前記要求を取得した後に前記チャネルボンディング情報を有する前記フレームを生成するように構成される、Ｃ１に記載の装置。
［Ｃ１３］
前記チャネルボンディング情報によってＭＵ通信に利用可能であると示された前記１つまたは複数のチャネル上で送信されたデータを取得するように構成された第３のインターフェースをさらに備える、Ｃ１に記載の装置。
［Ｃ１４］
前記第３のインターフェースは、複数のワイヤレスノードから前記１つまたは複数のチャネル上で送信されたデータを取得するように構成される、Ｃ１３に記載の装置。
［Ｃ１５］
前記第１のインターフェースは、前記１つまたは複数のワイヤレスノードへの前記１つまたは複数のチャネルの割り当てのインジケーションを提供するようにさらに構成される、Ｃ１に記載の装置。
［Ｃ１６］
前記インジケーションは、ビーコン、ターゲットウェイクアップ時間（ＴＷＴ）要素、または前記フレームのうちの少なくとも１つにおいて提供される、Ｃ１５に記載の装置。
［Ｃ１７］
前記インジケーションは、ある量の時間の間、有効である、Ｃ１５に記載の装置。
［Ｃ１８］
前記第１のインターフェースは、前記チャネルボンディング情報によってＭＵ送信に利用可能であると示された前記１つまたは複数のチャネル上で送信されるべきデータを出力するようにさらに構成される、Ｃ１に記載の装置。
［Ｃ１９］
ワイヤレス通信のための装置であって、
チャネルボンディング情報を備えるフレームを取得するように構成された第１のインターフェースと、
前記フレームに含まれる前記チャネルボンディング情報に基づいて、マルチユーザ（ＭＵ）通信に利用可能な１つまたは複数のチャネルを決定するように構成された処理システムと、
ＭＵ通信に利用可能であると決定された前記チャネルのうちの前記１つまたは複数上での送信のためにデータを出力するように構成された第２のインターフェースと、
を備える、装置。
［Ｃ２０］
前記決定は、前記チャネルボンディング情報における１ビットに少なくとも基づく、Ｃ１９に記載の装置。
［Ｃ２１］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ２０に記載の装置。
［Ｃ２２］
前記処理システムは、前記フレームのサービスフィールドの１または複数ビットを介して前記チャネルボンディング情報を取得するように構成され、
前記処理システムが、スクランブラ初期化のために前記サービスフィールドの前記１または複数ビットを使用するように構成される、または
前記サービスフィールドの前記１または複数ビットのうちの少なくとも１ビットが、パリティビットを備え、前記処理システムが、前記チャネルボンディング情報において誤りを検出するために前記パリティビットを使用するように構成される、
のうちの少なくとも１つである、Ｃ１９に記載の装置。
［Ｃ２３］
前記チャネルボンディング情報はインデックスを備え、
前記インデックスの異なる値が、前記装置によるＭＵ通信に利用可能な１つまたは複数のチャネルの異なる組合せにマッピングし、
前記インデックスにおけるビット数は、基本サービスセット（ＢＳＳ）帯域幅に少なくとも部分的に基づき、
前記処理システムは、前記インデックスに少なくとも部分的に基づいて、ＭＵ通信に利用可能な前記１つまたは複数のチャネルを決定するように構成される、
Ｃ１９に記載の装置。
［Ｃ２４］
前記チャネルボンディング情報はビットマップを備え、
前記処理システムは、前記ビットマップにおける各ビットに基づいて、対応するチャネルがＭＵ通信に利用可能であるかどうかを決定する、
Ｃ１９に記載の装置。
［Ｃ２５］
前記第１のインターフェースは、ビーコンまたはターゲットウェイクアップ時間（ＴＷＴ）要素のうちの少なくとも１つを取得するようにさらに構成され、
前記処理システムは、前記ビーコン、前記ＴＷＴ要素、または前記フレームのうちの少なくとも１つにおけるインジケーションに基づいて、前記装置への前記１つまたは複数のチャネルの割り当てを決定するように構成され、前記インジケーションは、ある量の時間の間、有効である、
Ｃ１９に記載の装置。
［Ｃ２６］
装置によるワイヤレス通信のための方法であって、
１つまたは複数のワイヤレスノードによるマルチユーザ（ＭＵ）通信に利用可能な１つまたは複数のチャネルを示すチャネルボンディング情報を有するフレームを生成することと、
送信のために前記フレームを出力することと、
を備える、方法。
［Ｃ２７］
前記チャネルボンディング情報は、前記１つまたは複数のチャネルがＭＵ通信に利用可能であるか否かを示す少なくとも１ビットを備える、Ｃ２６に記載の方法。
［Ｃ２８］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ２７に記載の方法。
［Ｃ２９］
前記フレームは、第１のタイプの少なくとも１つのワイヤレスノード、および第２のタイプの少なくとも１つのワイヤレスノードによって復号可能であり、
前記チャネルボンディング情報は、前記少なくとも１つの第２のタイプのワイヤレスノードによって復号可能であるが、前記少なくとも１つの第１のタイプのワイヤレスノードによって復号可能でない、Ｃ２６に記載の方法。
［Ｃ３０］
前記フレームは、送信要求（ＲＴＳ）または送信可（ＣＴＳ）フレームを備える、Ｃ２６に記載の方法。
［Ｃ３１］
前記チャネルボンディング情報は、前記フレームのサービスフィールドの１または複数ビットを介して提供される、Ｃ２６に記載の方法。
［Ｃ３２］
スクランブラ初期化のために前記サービスフィールドの前記１または複数ビットを使用することをさらに備える、Ｃ３１に記載の方法。
［Ｃ３３］
前記チャネルボンディング情報においてあらゆる誤りを検出するためにパリティビットとして前記サービスフィールドの前記１または複数ビットのうちの少なくとも１つを使用することをさらに備える、Ｃ３１に記載の方法。
［Ｃ３４］
前記チャネルボンディング情報はインデックスを備え、前記インデックスの異なる値は、前記１つまたは複数のワイヤレスノードによるＭＵ通信に利用可能な１つまたは複数のチャネルの異なる組合せにマッピングする、Ｃ２６に記載の方法。
［Ｃ３５］
前記インデックスにおけるビット数は、基本サービスセット（ＢＳＳ）帯域幅に少なくとも部分的に基づく、Ｃ３４に記載の方法。
［Ｃ３６］
前記チャネルボンディング情報はビットマップを備え、前記ビットマップにおける各ビットは、対応するチャネルがＭＵ通信に利用可能であるかどうかを示す、Ｃ２６に記載の方法。
［Ｃ３７］
別の装置から要求を取得することと、前記要求を取得した後に前記チャネルボンディング情報を有する前記フレームを生成することと、をさらに備える、Ｃ２６に記載の方法。
［Ｃ３８］
前記チャネルボンディング情報によってＭＵ通信に利用可能であると示された前記１つまたは複数のチャネル上で送信されたデータを取得することをさらに備える、Ｃ２６に記載の方法。
［Ｃ３９］
前記１つまたは複数のチャネル上で送信された前記取得されるデータは、複数のワイヤレスノードから取得される、Ｃ３８に記載の方法。
［Ｃ４０］
前記１つまたは複数のワイヤレスノードへの前記１つまたは複数のチャネルの割り当てのインジケーションを提供することをさらに備える、Ｃ２６に記載の方法。
［Ｃ４１］
前記インジケーションは、ビーコン、ターゲットウェイクアップ時間（ＴＷＴ）要素、または前記フレームのうちの少なくとも１つにおいて提供される、Ｃ４０に記載の方法。
［Ｃ４２］
前記インジケーションは、ある量の時間の間、有効である、Ｃ４０に記載の方法。
［Ｃ４３］
前記チャネルボンディング情報によってＭＵ通信に利用可能であると示された前記１つまたは複数のチャネル上で送信されるべきデータを出力することをさらに備える、Ｃ２６に記載の方法。
［Ｃ４４］
装置によるワイヤレス通信のための方法であって、
チャネルボンディング情報を備えるフレームを取得することと、
前記フレームに含まれる前記チャネルボンディング情報に基づいて、マルチユーザ（ＭＵ）通信に利用可能な１つまたは複数のチャネルを決定することと、
ＭＵ通信に利用可能であると決定された前記チャネルのうちの前記１つまたは複数上での送信のためにデータを出力することと、
を備える、方法。
［Ｃ４５］
前記決定は、前記チャネルボンディング情報における１ビットに少なくとも基づく、Ｃ４４に記載の方法。
［Ｃ４６］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ４５に記載の方法。
［Ｃ４７］
前記チャネルボンディング情報は、前記フレームのサービスフィールドの１または複数ビットを介して取得され、
スクランブラ初期化のために前記サービスフィールドの前記１または複数ビットを使用すること、または
前記チャネルボンディング情報において誤りを検出するためにパリティビットとして前記サービスフィールドの前記１または複数ビットのうちの少なくとも１ビットを使用すること、
のうちの少なくとも１つをさらに備える、Ｃ４４に記載の方法。
［Ｃ４８］
前記チャネルボンディング情報はインデックスを備え、
前記インデックスの異なる値が、前記装置によるＭＵ通信に利用可能な１つまたは複数のチャネルの異なる組合せにマッピングし、
前記インデックスにおけるビット数は、基本サービスセット（ＢＳＳ）帯域幅に少なくとも部分的に基づき、
ＭＵ通信に利用可能な前記１つまたは複数のチャネルの前記決定は、前記インデックスに少なくとも部分的に基づく、
Ｃ４４に記載の方法。
［Ｃ４９］
前記チャネルボンディング情報はビットマップを備え、
前記ビットマップにおける各ビットに基づいて、対応するチャネルがＭＵ通信に利用可能であるかどうかを決定すること、
をさらに備える、Ｃ４４に記載の方法。
［Ｃ５０］
ビーコンまたはターゲットウェイクアップ時間（ＴＷＴ）要素のうちの少なくとも１つを取得することと、
前記ビーコン、前記ＴＷＴ要素、または前記フレームのうちの少なくとも１つにおけるインジケーションに基づいて、前記装置への前記１つまたは複数のチャネルの割り当てを決定することと、ここにおいて、前記インジケーションは、ある量の時間の間、有効である、
をさらに備える、Ｃ４４に記載の方法。
［Ｃ５１］
ワイヤレス通信のための装置であって、
１つまたは複数のワイヤレスノードによるマルチユーザ（ＭＵ）通信に利用可能な１つまたは複数のチャネルを示すチャネルボンディング情報を有するフレームを生成するための手段と、
送信のために前記フレームを出力するための手段と、
を備える、装置。
［Ｃ５２］
前記チャネルボンディング情報は、前記１つまたは複数のチャネルがＭＵ通信に利用可能であるか否かを示す少なくとも１ビットを備える、Ｃ５１に記載の装置。
［Ｃ５３］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ５２に記載の装置。
［Ｃ５４］
前記フレームは、第１のタイプの少なくとも１つのワイヤレスノード、および第２のタイプの少なくとも１つのワイヤレスノードによって復号可能であり、
前記チャネルボンディング情報は、前記少なくとも１つの第２のタイプのワイヤレスノードによって復号可能であるが、前記少なくとも１つの第１のタイプのワイヤレスノードによって復号可能でない、Ｃ５１に記載の装置。
［Ｃ５５］
前記フレームは、送信要求（ＲＴＳ）または送信可（ＣＴＳ）フレームを備える、Ｃ５１に記載の装置。
［Ｃ５６］
前記チャネルボンディング情報は、前記フレームのサービスフィールドの１または複数ビットを介して提供される、Ｃ５１に記載の装置。
［Ｃ５７］
スクランブラ初期化のために前記サービスフィールドの前記１または複数ビットを使用するための手段をさらに備える、Ｃ５６に記載の装置。
［Ｃ５８］
前記チャネルボンディング情報においてあらゆる誤りを検出するためにパリティビットとして前記サービスフィールドの前記１または複数ビットのうちの少なくとも１つを使用するための手段をさらに備える、Ｃ５６に記載の装置。
［Ｃ５９］
前記チャネルボンディング情報はインデックスを備え、前記インデックスの異なる値は、前記１つまたは複数のワイヤレスノードによるＭＵ通信に利用可能な１つまたは複数のチャネルの異なる組合せにマッピングする、Ｃ５１に記載の装置。
［Ｃ６０］
前記インデックスにおけるビット数は、基本サービスセット（ＢＳＳ）帯域幅に少なくとも部分的に基づく、Ｃ５９に記載の装置。
［Ｃ６１］
前記チャネルボンディング情報はビットマップを備え、前記ビットマップにおける各ビットは、対応するチャネルがＭＵ通信に利用可能であるかどうかを示す、Ｃ５１に記載の装置。
［Ｃ６２］
別の装置から要求を取得するための手段と、
前記要求を取得した後に前記チャネルボンディング情報を有する前記フレームを生成するための手段と、
をさらに備える、Ｃ５１に記載の装置。
［Ｃ６３］
前記チャネルボンディング情報によってＭＵ通信に利用可能であると示された前記１つまたは複数のチャネル上で送信されたデータを取得するための手段をさらに備える、Ｃ５１に記載の装置。
［Ｃ６４］
前記データを取得するための手段は、複数のワイヤレスノードから前記データを取得するように構成される、Ｃ６３に記載の装置。
［Ｃ６５］
前記１つまたは複数のワイヤレスノードへの前記１つまたは複数のチャネルの割り当てのインジケーションを提供するための手段をさらに備える、Ｃ５１に記載の装置。
［Ｃ６６］
前記インジケーションを提供するための手段は、ビーコン、ターゲットウェイクアップ時間（ＴＷＴ）要素、または前記フレームのうちの少なくとも１つにおいて前記インジケーションを提供するように構成される、Ｃ６５に記載の装置。
［Ｃ６７］
前記インジケーションは、ある量の時間の間、有効である、Ｃ６５に記載の装置。
［Ｃ６８］
前記チャネルボンディング情報によってＭＵ通信に利用可能であると示された前記１つまたは複数のチャネル上で送信されるべきデータを出力するための手段をさらに備える、Ｃ５１に記載の装置。
［Ｃ６９］
ワイヤレス通信のための装置であって、
チャネルボンディング情報を備えるフレームを取得するための手段と、
前記フレームに含まれる前記チャネルボンディング情報に基づいて、マルチユーザ（ＭＵ）通信に利用可能な１つまたは複数のチャネルを決定するための手段と、
ＭＵ通信に利用可能であると決定された前記チャネルのうちの前記１つまたは複数上での送信のためにデータを出力するための手段と、
を備える、装置。
［Ｃ７０］
前記決定するための手段は、前記チャネルボンディング情報における１ビットに少なくとも基づいて、ＭＵ通信に利用可能な前記１つまたは複数のチャネルを決定するように構成される、Ｃ６９に記載の装置。
［Ｃ７１］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ７０に記載の装置。
［Ｃ７２］
前記チャネルボンディング情報は、前記フレームのサービスフィールドの１または複数ビットを介して取得され、
スクランブラ初期化のために前記サービスフィールドの前記１または複数ビットを使用するための手段、または
前記チャネルボンディング情報において誤りを検出するためにパリティビットとして前記サービスフィールドの前記１または複数ビットのうちの少なくとも１ビットを使用するための手段、
のうちの少なくとも１つをさらに備える、Ｃ６９に記載の装置。
［Ｃ７３］
前記チャネルボンディング情報はインデックスを備え、
前記インデックスの異なる値が、前記装置によるＭＵ通信に利用可能な１つまたは複数のチャネルの異なる組合せにマッピングし、
前記インデックスにおけるビット数は、基本サービスセット（ＢＳＳ）帯域幅に少なくとも部分的に基づき、
前記決定するための手段は、前記インデックスに少なくとも部分的に基づいて、ＭＵ通信に利用可能な前記１つまたは複数のチャネルを決定するように構成される、
Ｃ６９に記載の装置。
［Ｃ７４］
前記チャネルボンディング情報はビットマップを備え、
前記ビットマップにおける各ビットに基づいて、対応するチャネルがＭＵ通信に利用可能であるかどうかを決定するための手段、
をさらに備える、Ｃ６９に記載の装置。
［Ｃ７５］
ビーコンまたはターゲットウェイクアップ時間（ＴＷＴ）要素のうちの少なくとも１つを取得するための手段と、
前記ビーコン、前記ＴＷＴ要素、または前記フレームのうちの少なくとも１つにおけるインジケーションに基づいて、前記装置への前記１つまたは複数のチャネルの割り当てを決定するための手段と、ここにおいて、前記インジケーションは、ある量の時間の間、有効である、
をさらに備える、Ｃ６９に記載の装置。
［Ｃ７６］
装置によるワイヤレス通信のためのコンピュータ可読媒体であって、
１つまたは複数のワイヤレスノードによるマルチユーザ（ＭＵ）通信に利用可能な１つまたは複数のチャネルを示すチャネルボンディング情報を有するフレームを生成することと、
送信のために前記フレームを出力することと、
のための命令を記憶している、コンピュータ可読媒体。
［Ｃ７７］
装置によるワイヤレス通信のためのコンピュータ可読媒体であって、
チャネルボンディング情報を備えるフレームを取得することと、
前記フレームに含まれる前記チャネルボンディング情報に基づいて、マルチユーザ（ＭＵ）通信に利用可能な１つまたは複数のチャネルを決定することと、
ＭＵ通信に利用可能であると決定された前記チャネルのうちの前記１つまたは複数上での送信のためにデータを出力することと、
のための命令を記憶している、コンピュータ可読媒体。
［Ｃ７８］
ワイヤレス通信のためのアクセスポイント（ＡＰ）であって、
１つまたは複数のワイヤレスノードによるマルチユーザ（ＭＵ）通信に利用可能な１つまたは複数のチャネルを示すチャネルボンディング情報を有するフレームを生成するように構成された処理システムと、
前記フレームを送信するように構成された送信機と、
を備える、アクセスポイント（ＡＰ）。
［Ｃ７９］
ワイヤレス通信のためのワイヤレスノードであって、
チャネルボンディング情報を備えるフレームを取得するように構成された受信機と、
前記フレームに含まれる前記チャネルボンディング情報に基づいて、マルチユーザ（ＭＵ）通信に利用可能な１つまたは複数のチャネルを決定するように構成された処理システムと、
ＭＵ通信に利用可能であると決定された前記１つまたは複数のチャネル上でデータを送信するように構成された送信機と、
を備える、ワイヤレスノード。